(57)【要約】      （修正有）【課題】住居者が住居を引っ越しする場合、ドアホン装置を持って引っ越すのか、そのまま残して置くのかの移動状況に適した来訪者情報処理を容易に行えるドアホン装置、及びドアホンシステムを提供することを目的とする。【解決手段】親機２０の第１引っ越しボタン２１４か、もしくは第２引っ越しボタン２１５の押下による移動情報を取得したかどうかが判断される（Ｓ１）。住居者がドアホン装置を持って引っ越す場合（Ｓ２：ＮＯ）、評価が“悪い”に対応した来訪者情報を隣家など他のドアホン装置へ送信する処理が実行される（Ｓ４）。住居者がドアホン装置をそのまま残して引っ越す場合（Ｓ２：ＹＥＳ）、評価“良い”に対応した来訪者情報を削除する処理が実行（Ｓ３）される。【選択図】図７
2010087696.tif 000002
【特許請求の範囲】
【請求項１】
住居内に備えられたドアホン装置について、
来訪者を識別する識別情報と、前記来訪者を評価した評価情報とを関連付けた来訪者情報を記憶する来訪者情報記憶手段と、
前記ドアホン装置と、それが備えられた住居と、そのドアホン装置を使用するユーザとの関係のいずれかの移動情報を取得する移動情報取得手段と、
前記移動情報取得手段によって取得した移動情報と、前記評価情報に基づいて、前記来訪者情報記憶手段に記憶されている前記来訪者情報の処理を行う来訪者情報処理手段を備えることを特徴とするドアホン装置。
【請求項２】
来訪者を検出する来訪者検出手段と、
前記来訪者検出手段により検出された前記来訪者を識別する前記識別情報を取得する識別情報取得手段と、
前記来訪者に関する前記評価情報を入力する来訪者情報入力手段と、
前記来訪者情報入力手段により入力された前記評価情報と、前記識別情報取得手段により取得された識別情報を関連付けた前記来訪者情報を前記来訪者情報記憶手段に記憶する来訪者情報記憶処理手段とを備えたことを特徴とする請求項１に記載のドアホン装置。
【請求項３】
前記移動情報取得手段は、前記ユーザの住居移動の際に、前記ドアホン装置を移動させず前記ユーザのみが移動するのか、前記ユーザの移動とともに前記ドアホン装置も住居から移動するのかを識別する移動情報を取得することを特徴とする請求項１乃至２のいずれかに記載のドアホン装置。
【請求項４】
前記評価情報は、少なくとも、前記来訪者の不審度が高いと評価した評価結果である第１評価値と、前記来訪者の不審度が低いと評価した評価結果である第２評価値とに分類されて前記来訪者情報記憶手段に記憶されていることを特徴とする請求項１乃至３のいずれかに記載のドアホン装置。
【請求項５】
前記来訪者情報処理手段は、前記移動情報取得手段により取得した移動情報により、前記ドアホン装置を移動させずユーザのみが移動することが識別された場合、前記第２評価値に関連付けて分類されている前記来訪者情報を、前記来訪者情報記憶手段から消去することを特徴とする請求項４に記載のドアホン装置。
【請求項６】
前記来訪者情報処理手段は、前記移動情報取得手段により取得した移動情報により、前記ユーザの移動とともに前記ドアホン装置も移動させることを識別された場合、前記第１評価値に関連付けて分類されている前記来訪者情報を、前記来訪者情報記憶手段から消去することを特徴とする請求項４乃至５のいずれかに記載のドアホン装置。
【請求項７】
前記ドアホン装置は、通信回線を介して接続された他のドアホン装置へ前記来訪者情報を送信する情報送信手段を備え、
前記来訪者情報処理手段は、前記移動情報取得手段により取得した移動情報により、前記ユーザの移動とともに前記ドアホン装置も移動させることを識別された場合、前記来訪者情報記憶手段に記憶されている前記来訪者情報のうち少なくとも所定の評価情報と関連付けた来訪者情報を、前記情報送信手段により他のドアホン装置へ送信することを特徴とする請求項３に記載のドアホン装置。
【請求項８】
前記所定の評価情報は、少なくとも、前記来訪者の不審度が高いと評価した評価結果である第１評価値と、前記来訪者の不審度が低いと評価した評価結果である第２評価値とに分類されて前記来訪者情報記憶手段に記憶されており、
前記情報送信手段は、前記第１評価値に関連付けて分類されている来訪者情報を他のドアホン装置へ送信することを特徴とする請求項７に記載のドアホン装置。
【請求項９】
他のドアホン装置から前記来訪者情報を受信する来訪者情報受信手段を備え、
前記来訪者情報処理手段は、前記来訪者情報受信手段により他のドアホン装置から受信した前記来訪者情報を、前記来訪者情報記憶手段に記憶させることを特徴とする請求項８に記載のドアホン装置。
【請求項１０】
コンピュータを、前記請求項１〜９のいずれかに記載のドアホン装置における各手段として機能させるためのプログラム。
【請求項１１】
住居内に備えられたドアホン装置の情報処理方法について、
来訪者を識別する識別情報と、前記来訪者を評価した評価情報とを関連付けた来訪者情報を記憶する来訪者情報記憶ステップと、
前記ドアホン装置と、それが備えられた住居と、そのドアホン装置を使用するユーザとの関係のいずれかの移動情報を取得する移動情報取得ステップと、
前記移動情報取得ステップによって取得した移動情報と、前記評価情報に基づいて、前記来訪者情報記憶ステップにより記憶されている前記来訪者情報の処理を行う来訪者情報処理ステップを有するドアホン装置の情報処理方法。
【請求項１２】
複数の住居内にそれぞれ備えられたドアホン装置が通信回線を介して接続されたドアホンシステムにおいて、
前記各ドアホン装置は、
来訪者を識別する識別情報と、前記来訪者を評価した評価情報とを関連付けた来訪者情報を記憶する来訪者情報記憶手段と、
各ドアホン装置の前記来訪者情報記憶手段に記憶された前記来訪者情報のうち少なくとも所定の評価情報と関連付けた来訪者情報を相互に検索可能とする情報通信手段とを備え、
前記複数のドアホン装置のうち、一つのドアホン装置が他のドアホン装置との接続から外される移動情報を取得した場合、当該ドアホン装置の前記来訪者情報記憶手段に記憶された少なくとも前記所定の評価情報と関連付けた来訪者情報を、前記情報通信手段により他のドアホン装置へ送信し、前記他のドアホン装置の前記来訪者情報記憶手段に記憶させることを特徴とするドアホンシステム。
【請求項１３】
前記所定の評価情報は、少なくとも、前記来訪者の不審度が高いと評価した評価結果である第１評価値と、前記来訪者の不審度が低いと評価した評価結果である第２評価値とに分類されて前記来訪者情報記憶手段に記憶されており、
前記情報通信手段は、前記第１評価値に関連付けて分類されている来訪者情報を他のドアホン装置へ送信することを特徴とする請求項１２に記載のドアホンシステム。
【発明の詳細な説明】
【技術分野】
【０００１】
本発明は、来訪者情報を記憶するドアホン装置、コンピュータをそのドアホン装置における各手段として機能させるためのプログラム、そのドアホン装置の情報処理方法、及び複数の住居等にそれぞれ備えられたドアホン装置が通信回線を介して接続されたドアホンシステムに関する。
【背景技術】
【０００２】
従来、例えば、住宅の室外に設置される子機と、室内に設置される親機とを備えたドアホン装置が知られている。このうち、子機が備えるカメラで来訪者を撮像し、撮像された来訪者の画像を親機の備えるモニタに表示可能なものがある。このようなドアホン装置は、室内に居る居住者が、モニタに表示された来訪者の顔を見て、来訪者が誰であるのかを確認し、適切な応対ができるようにすることを主な目的としている。
【０００３】
また、子機のカメラで撮像した来訪者の画像を、その来訪者の評価情報と対応付けした来訪者情報として記憶しておき、特に不審者と評価された場合は、他の住宅のドアホン装置と通信回線を介して不審者情報として情報共有し、防犯効果を高めるドアホン装置も提案されている。
【特許文献１】特開２００４−５４５３６号公報
【発明の開示】
【発明が解決しようとする課題】
【０００４】
しかしながら、上記システムでは、居住者が転居する時は、ドアホン装置内に記憶されている来訪者情報は個人情報になるので、そのまま残して置くことはできず、全て削除するか、又は来訪者各々の評価結果を参照しながら情報削除作業しなければならない。よって、全ての来訪者情報を削除する場合は、他のドアホン装置と共有できる不審者情報も消えてしまうという課題があり、また多数の来訪者の評価結果を一つ一つ参照しながらの情報削除作業は、非常に煩わしいという課題がある。
【０００５】
本発明は、上記問題点を解決するためになされたものであり、住居者の転居等の移動に合わせた来訪者情報処理を容易に行えるドアホン装置、コンピュータをそのドアホン装置における各手段として機能させるためのプログラム、及びドアホンシステムを提供することを目的とする。
【課題を解決するための手段】
【０００６】
上記目的を達成するために、請求項１に係る発明のドアホン装置は、来訪者を識別する識別情報と、前記来訪者を評価した評価情報とを関連付けた来訪者情報を記憶する来訪者情報記憶手段と、前記ドアホン装置と、それが備えられた住居と、そのドアホン装置を使用するユーザとの関係のいずれかの移動情報を取得する移動情報取得手段と、前記移動情報取得手段によって取得した移動情報と、前記評価情報に基づいて、前記来訪者情報記憶手段に記憶されている前記来訪者情報の処理を行う来訪者情報処理手段を備えることを特徴とする。
【０００７】
請求項２に係る発明のドアホン装置は、請求項１に記載の発明の構成に加え、来訪者を検出する来訪者検出手段と、前記来訪者検出手段により検出された前記来訪者を識別する前記識別情報を取得する識別情報取得手段と、前記来訪者に関する前記評価情報を入力する来訪者情報入力手段と、前記来訪者情報入力手段により入力された前記評価情報と、前記識別情報取得手段により取得された識別情報を関連付けた前記来訪者情報を前記来訪者情報記憶手段に記憶する来訪者情報記憶処理手段とを備えたことを特徴とする。
【０００８】
請求項３に係る発明のドアホン装置は、請求項１乃至２のいずれかに記載の発明の構成に加え、前記移動情報取得手段は、前記ユーザの住居移動の際に、前記ドアホン装置を移動させず前記ユーザのみが移動するのか、前記ユーザの移動とともに前記ドアホン装置も住居から移動するのかを識別する移動情報を取得することを特徴とする。
【０００９】
請求項４に係る発明のドアホン装置は、請求項１乃至３のいずれかに記載の発明の構成に加え、前記評価情報は、少なくとも、前記来訪者の不審度が高いと評価した評価結果である第１評価値と、前記来訪者の不審度が低いと評価した評価結果である第２評価値とに分類されて前記来訪者情報記憶手段に記憶されていることを特徴とする。
【００１０】
請求項５に係る発明のドアホン装置は、請求項４に記載の発明の構成に加え、前記来訪者情報処理手段は、前記移動情報取得手段により取得した移動情報により、前記ドアホン装置を移動させずユーザのみが移動することが識別された場合、前記第２評価値に関連付けて分類されている前記来訪者情報を、前記来訪者情報記憶手段から消去することを特徴とする。
【００１１】
請求項６に係る発明のドアホン装置は、請求項４乃至５のいずれかに記載の発明の構成に加え、前記来訪者情報処理手段は、前記移動情報取得手段により取得した移動情報により、前記ユーザの移動とともに前記ドアホン装置も移動させることを識別された場合、前記第１評価値に関連付けて分類されている前記来訪者情報を、前記来訪者情報記憶手段から消去することを特徴とする。
【００１２】
請求項７に係る発明のドアホン装置は、請求項３に記載の発明の構成に加え、前記ドアホン装置は、通信回線を介して接続された他のドアホン装置へ前記来訪者情報を送信する情報送信手段を備え、前記来訪者情報処理手段は、前記移動情報取得手段により取得した移動情報により、前記ユーザの移動とともに前記ドアホン装置も移動させることを識別された場合、前記来訪者情報記憶手段に記憶されている前記来訪者情報のうち少なくとも所定の評価情報と関連付けた来訪者情報を、前記情報送信手段により他のドアホン装置へ送信することを特徴とする。
【００１３】
請求項８に係る発明のドアホン装置は、請求項７に記載の発明の構成に加え、前記所定の評価情報は、少なくとも、前記来訪者の不審度が高いと評価した評価結果である第１評価値と、前記来訪者の不審度が低いと評価した評価結果である第２評価値とに分類されて前記来訪者情報記憶手段に記憶されており、前記情報送信手段は、前記第１評価値に関連付けて分類されている来訪者情報を他のドアホン装置へ送信することを特徴とする。
【００１４】
請求項９に係る発明のドアホン装置は、請求項８に記載の発明の構成に加え、他のドアホン装置から前記来訪者情報を受信する来訪者情報受信手段を備え、前記来訪者情報処理手段は、前記来訪者情報受信手段により他のドアホン装置から受信した前記来訪者情報を、前記来訪者情報記憶手段に記憶させることを特徴とする。
【００１５】
請求項１０に係る発明のプログラムでは、請求項１乃至９のいずれかに記載のドアホン装置の各種処理をコンピュータに実行させることを特徴とする。
【００１６】
請求項１１に係る発明のドアホン装置の情報処理方法は、来訪者を識別する識別情報と、前記来訪者を評価した評価情報とを関連付けた来訪者情報を記憶する来訪者情報記憶ステップと、前記ドアホン装置と、それが備えられた住居と、そのドアホン装置を使用するユーザとの関係のいずれかの移動情報を取得する移動情報取得ステップと、前記移動情報取得ステップによって取得した移動情報と、前記評価情報に基づいて、前記来訪者情報記憶ステップにより記憶されている前記来訪者情報の処理を行う来訪者情報処理ステップを有する。
【００１７】
請求項１２に係る発明のドアホンシステムは、複数の住居内にそれぞれ備えられたドアホン装置が通信回線を介して接続されたドアホンシステムにおいて、前記各ドアホン装置は、来訪者を識別する識別情報と、前記来訪者を評価した評価情報とを関連付けた来訪者情報を記憶する来訪者情報記憶手段と、各ドアホン装置の前記来訪者情報記憶手段に記憶された前記来訪者情報のうち少なくとも所定の評価情報と関連付けた来訪者情報を相互に検索可能とする情報通信手段とを備え、前記複数のドアホン装置のうち、一つのドアホン装置が他のドアホン装置との接続から外される移動情報を取得した場合、当該ドアホン装置の前記来訪者情報記憶手段に記憶された少なくとも前記所定の評価情報と関連付けた来訪者情報を、前記情報通信手段により他のドアホン装置へ送信し、前記他のドアホン装置の前記来訪者情報記憶手段に記憶させることを特徴とする。
【００１８】
請求項１３に係る発明のドアホンシステムは、請求項１２に記載の発明の構成に加え、前記所定の評価情報は、少なくとも、前記来訪者の不審度が高いと評価した評価結果である第１評価値と、前記来訪者の不審度が低いと評価した評価結果である第２評価値とに分類されて前記来訪者情報記憶手段に記憶されており、前記情報通信手段は、前記第１評価値に関連付けて分類されている来訪者情報を他のドアホン装置へ送信することを特徴とする。
【発明の効果】
【００１９】
請求項１に係る発明のドアホン装置では、来訪者を識別する識別情報と、前記来訪者を評価した評価情報とを関連付けた来訪者情報を記憶し、前記ドアホン装置と、それが備えられた住居と、そのドアホン装置を使用するユーザとの関係のいずれかの移動情報を取得して、前記移動情報と前記評価情報に基づいて、前記来訪者情報の処理を行うことができる。したがって、ドアホン装置を使用するユーザが転居等で移動する場合やドアホンを破棄する際に、ドアホン装置に記憶されている来訪者情報を評価情報に合わせて適切な処理を容易に行うことができる。
【００２０】
請求項２に係る発明のドアホン装置では、検出された来訪者を識別する前記識別情報を取得し、前記来訪者に関する前記評価情報を入力し、入力された前記評価情報と、識別情報を関連付けた前記来訪者情報を記憶することができる。したがって、請求項１に記載の発明の効果に加え、ユーザは、ドアホン装置へ来訪者に関する評価情報を関連付けて入力し記憶しておくことができ、来訪者情報を表示することにより来訪者に対して適切な対応を行うことができる。
【００２１】
請求項３に係る発明のドアホン装置では、前記ユーザが転居等で移動の際に、前記ドアホン装置を移動させず前記ユーザのみが移動するのか、前記ユーザの移動とともに前記ドアホン装置も住居から移動するのか、を識別する移動情報を含んでいる。したがって、請求項１乃至２のいずれかに記載の発明の効果に加え、前記ドアホン装置も前記ユーザと共に前記住居から移動するのか、又は前記住居に残して置くのかに合わせ、ユーザは煩わしい作業を行うことなく来訪者情報をより的確に処理することができる。
【００２２】
請求項４に係る発明のドアホン装置では、前記評価情報は、少なくとも、前記来訪者の不審度が高いと評価した評価結果である第１評価値と、前記来訪者の不審度が低いと評価した評価結果である第２評価値とに分類されて記憶されている。したがって、請求項１乃至３いずれかに記載の発明の効果に加え、来訪者情報を不審者とそうでない者とに分類できるので、ユーザが転居等で移動する場合、来訪者の評価結果に適した来訪者情報の処理をすることができる。
【００２３】
請求項５に係る発明のドアホン装置では、前記移動情報により、前記ドアホン装置を移動させずユーザのみが移動することが識別された場合、前記第２評価値に関連付けて分類されている前記来訪者情報を消去することができる。したがって、請求項４に記載の発明の効果に加え、ユーザは、ドアホン装置を住居に残して移動する場合、個人情報に相当する友人や知人等の不審度が低い来訪者情報を消し忘れること無く、確実に消去することができる。
【００２４】
請求項６に係る発明のドアホン装置では、前記移動情報により、前記ユーザの移動とともに前記ドアホン装置も移動させることを識別された場合、前記第１評価値に関連付けて分類されている前記来訪者情報を消去することができる。したがって、請求項４乃至５のいずれかに記載の発明の効果に加え、ユーザは、ドアホン装置を住居から取り外して移動する場合、その住居近辺での不審者と評価された来訪者情報が不要になるので、容易に不審者と評価された来訪者情報を消去することができ、無駄な情報を削除することにより記憶装置の領域を有効に活用することができる。また，信頼できる来訪者情報は転居先で引き続き使用することができ，来訪者を登録する手間を省くことができる
請求項７に係る発明のドアホン装置では、通信回線を介して接続された他のドアホン装置へ前記来訪者情報を送信でき、前記移動情報により、前記ユーザの移動とともに前記ドアホン装置も移動させることを識別された場合、前記来訪者情報のうち少なくとも所定の評価情報と関連付けた来訪者情報を他のドアホン装置へ送信することができる。したがって、請求項３に記載の発明の効果に加え、ユーザは、ドアホン装置を住居から取り外して移動する場合、前記ドアホン装置に記憶された来訪者情報を他のドアホン装置へ送信することにより、共有情報を簡単な操作で近所に提供することができる。
【００２５】
請求項８に係る発明のドアホン装置では、前記所定の評価情報は、少なくとも、前記来訪者の不審度が高いと評価した評価結果である第１評価値と、前記来訪者の不審度が低いと評価した評価結果である第２評価値とに分類されて記憶されており、前記第１評価値に関連付けて分類されている来訪者情報を他のドアホン装置へ送信することができる。したがって、請求項７に記載の発明の効果に加え、ユーザは、前記ドアホン装置に記憶された不審者と評価された来訪者情報を、他のドアホン装置へ簡単な操作で情報提供することができる。
【００２６】
請求項９に係る発明のドアホン装置では、他のドアホン装置から前記来訪者情報を受信し、他のドアホン装置から受信した前記来訪者情報を記憶することができる。したがって、請求項８に記載の発明の効果に加え、ユーザは、他のドアホン装置から来訪者情報を受信することで、その地域での不審者を含む来訪者情報を取得し活用することができる。
【００２７】
請求項１０に係る発明のプログラムでは、前記ドアホン装置の各種処理をコンピュータに実行させることができる。
【００２８】
請求項１１に係る発明のドアホン装置の情報処理方法では、来訪者を識別する識別情報と、前記来訪者を評価した評価情報とを関連付けた来訪者情報を記憶するステップと、前記ドアホン装置と、それが備えられた住居と、そのドアホン装置を使用するユーザとの関係のいずれかの移動情報を取得するステップと、前記移動情報と前記評価情報に基づいて、記憶されている前記来訪者情報の処理を行うステップを有する。したがって、ドアホン装置を使用するユーザは、転居等で移動する場合、ドアホン装置に記憶されている来訪者情報を評価情報に合わせて適切な処理方法を容易に行うことができる。
【００２９】
請求項１２に係る発明のドアホンシステムでは、複数の住居内にそれぞれ備えられたドアホン装置が通信回線を介して接続され、前記各ドアホン装置は、来訪者を識別する識別情報と、前記来訪者を評価した評価情報とを関連付けて記憶し、各ドアホン装置の前記来訪者情報のうち少なくとも所定の評価情報と関連付けた来訪者情報を相互に検索可能であり、前記複数のドアホン装置のうち、一つのドアホン装置が他のドアホン装置との接続から外される移動情報を取得した場合、当該ドアホン装置の前記所定の評価情報と関連付けた来訪者情報を前記他のドアホン装置へ送信し、前記他のドアホン装置に記憶させることができる。したがって、ユーザの転居等での移動に伴い、前記移動するユーザのドアホンに記憶されている来訪者情報のうち所定の評価情報と関連付けた来訪者情報を、他のドアホン装置へ送信できるので、ユーザは地域に必要な来訪者情報を残すことができる。
【００３０】
請求項１３に係る発明のドアホンシステムでは、前記所定の評価情報は、少なくとも、前記来訪者の不審度が高いと評価した評価結果である第１評価値と、前記来訪者の不審度が低いと評価した評価結果である第２評価値とに分類されて記憶されており、さらに前記第１評価値に関連付けて分類されている来訪者情報を他のドアホン装置へ送信することができる。したがって、請求項１２に記載の発明の効果に加え、ユーザは、不審度が高いと評価された評価結果の来訪者情報を、他のドアホン装置へ送信することができるので、地域の防犯に必要な来訪者情報を残すことができる。
【発明を実施するための最良の形態】
【００３１】
以下、本発明を具体化したドアホン装置１の実施の形態について、図面を参照して説明する。なお、これらの図面は、本発明が採用しうる技術的特徴を説明するために用いられるものであり、記載されている装置の構成、各種処理のフローチャートなどは、それのみに限定する趣旨ではなく、単なる説明例である。
【００３２】
まず、図１〜図２を参照して、本実施形態に係るドアホン装置１の全体構成、ならびに、ドアホン装置１の構成要素である子機１０および親機２０の構成について、順に説明する。図１は、ドアホン装置１の電気的構成を示すブロック図で、信号線３０を介して接続された子機１０および親機２０で構成されている。住宅、会社、ビル等において、子機１０は室外に設置され、親機２０は、室内に設置される。子機１０と親機２０との間で通話が可能であるため、室内に居る者（以下、室内対応者という）は、入口を開けることなく室外の来訪者に応対することができる。
【００３３】
図１を参照して、子機１０について説明する。子機１０は、略直方体形状の筐体を備えており、筐体の正面（来訪者に対向する面）には、マイク１１１、スピーカ１１２、カメラ１１３、呼出ボタン１１４、および赤外ＬＥＤ照明１１６が設けられている。それらは、ＣＰＵ１０１、ＲＯＭ１０２、ＲＡＭ１０３、および通信装置１５０とバスで相互に接続されている。
【００３４】
ＣＰＵ１０１は、子機１０全体の制御を司る。ＲＯＭ１０２は、子機１０の基本的な動作に必要なプログラムやそのための設定値を記憶している。ＣＰＵ１０１は、ＲＯＭ１０２に記憶されたプログラムに従って、子機１０の動作を制御する。ＲＡＭ１０３は、各種データを一時的に記憶するための記憶装置である。
【００３５】
マイク１１１は、入力された来訪者の音声を音声信号に変換し、通信装置１５０を介して親機２０に出力する機器である。スピーカ１１２は、親機２０から入力された音声信号を、音声に変換して出力する機器である。
【００３６】
カメラ１１３は、例えば、周知のＣＣＤカメラであり、子機１０の正面の所定の撮像範囲を撮像し、撮像した画像の画像信号を、通信装置１５０を介して親機２０に出力する。所定の撮像範囲は、例えば、通常倍率での撮像時に子機１０の正面に対向して立った来訪者の顔が位置すると予測される領域を含むように予め設定されている。呼出ボタン１１４は、来訪者が室内対応者を呼び出すためのボタンである。呼出ボタン１１４が押下げられると、呼出信号が通信装置１５０を介して親機２０に送信される。
【００３７】
赤外ＬＥＤ照明１１６は照度センサを備えており、検出された照度が所定の閾値より低い場合に、子機１０近傍を照明するために点灯する。通信装置１５０は、親機２０との間で、信号線３０を介して、制御信号、画像信号、および音声信号を含む各種信号の送受信を行う装置である。
【００３８】
次に、図２を参照して、親機２０の物理的構成について説明する。親機２０は、略直方体形状の筐体２０５を備えている。筐体２０５の正面の中央下部には、マイク２１１およびスピーカ２１２が設けられている。また、筐体２０５の正面中央上部には、表示モニタ２１３が設けられている。また、筐体２０５の正面下部には、第１引っ越しボタン２１４、第２引っ越しボタン２１５が設けられている。
【００３９】
マイク２１１は、室内対応者の音声を、音声信号に変換し、第１通信装置２５０を介して子機１０に出力する機器である。スピーカ２１２は、子機１０から入力された音声信号を、音声に変換して出力する機器である。表示モニタ２１３は、例えば、液晶パネルと駆動回路、および入力位置を検知可能な入力装置であるタッチパッドが少なくとも一部に内蔵された表示装置である。子機１０のカメラ１１３によって撮像された撮像領域の画像が表示される表示装置であり、また、情報を入力するための入力装置でもあり、室内対応者が指で画像上の操作ボタンに触れると、その位置がタッチパッドにより検知され、対応する情報が入力される。
【００４０】
第１引っ越しボタン２１４は、詳細は後述するが、室内応対者が転居する時、転居に伴いドアホン装置１を取り外して移動させる場合に、室内応対者が押すボタンである。また、第２引っ越しボタン２１５は、室内応対者がドアホン装置１を残して転居する場合、室内応対者が押すボタンである。上記第１、第２引っ越しボタンが押下されると、それぞれ異なる移動情報として親機２０のＣＰＵ２０１へ信号が出力される。
【００４１】
図１に示すように、親機２０においてマイク２１１、スピーカ２１２、表示モニタ２１３、第１引っ越しボタン２１４、第２引っ越しボタン２１５は、ＣＰＵ２０１、ＲＯＭ２０２、ＲＡＭ２０３、フラッシュＲＯＭ２２０、第１通信装置２５０、および第２通信装置２６０とバスで相互に接続されている。
【００４２】
ＣＰＵ２０１は、親機２０全体の制御を司る。ＲＯＭ２０２は、後述するメイン処理を含む各種処理を親機２０に実行させるために必要なプログラムや、そのための設定値を記憶している。ＣＰＵ２０１は、ＲＯＭ２０２に記憶されたプログラムに従って、親機２０の動作を制御する。ＲＡＭ２０３は、各種データを一時的に記憶するための記憶装置である。フラッシュＲＯＭ２２０は、不揮発性の半導体メモリである。
【００４３】
第１通信装置２５０は、子機１０との間で、信号線３０を介して、制御信号、画像信号、および音声信号を含む各種信号の送受信を行う装置である。第２通信装置２６０は、通信回線５０を介して隣家などの他のドアホン装置５に接続する通信装置である。
【００４４】
次に図３〜５を参照して、フラッシュＲＯＭ２２０について説明する。
【００４５】
まず、図４に示すように、フラッシュＲＯＭ２２０は、来訪者情報記憶エリア２２１、表示画面記憶エリア２２２を含む複数の記憶エリアで構成されている。
【００４６】
図５は、フラッシュＲＯＭ２２０の来訪者情報記憶エリア２２１に記憶されている来訪者情報１２１０の説明図である。
【００４７】
来訪者情報１２１０には、複数の人物の顔の特徴を示すデータである顔情報とその人物に関する情報である関連情報とが対応付けて記憶されている。例えば、図５に示すように、訪問者ＩＤ欄、訪問者名欄、評価欄、顔情報欄、来訪日時欄が設けられている。
【００４８】
ＩＤ欄には、各来訪者データを識別するための固有情報であるＩＤが記憶される。訪問者名には、顔情報データ抽出元の人物の氏名が記憶される。評価欄は、訪問者に対して室内応対者が評価した結果が記憶される。
【００４９】
また、来訪者情報の中に，“他のドアホンと共有するか否か”という情報を記憶させても良く、その場合は、他のドアホン装置と来訪者情報を共有するか否かの選択をする情報として利用できる。
【００５０】
顔情報欄には、図示は省略するが、子機１０のカメラ１１３により撮像された顔画像や、顔特徴データとして、例えば、眉、目、鼻、口等の位置や形状を示す数値データが記憶され、来訪者を照合する為の情報として使用される。
【００５１】
来訪日時欄には、前回来訪日時として、来訪者が前回このドアホン装置１が設置されている住宅や会社を訪問した日時情報が記憶される。
【００５２】
図４に示す表示画面記憶エリア２２２には、親機２０の表示モニタ２１３に表示させる画面のテンプレートが記憶されている。詳細は後述するが、表示モニタ２１３には、例えば、図２に示すような来訪者に関する情報や、図３に示すような親機２０のユーザが来訪者情報を登録するための表示画面等が表示される。
【００５３】
以下に、図６〜図９を参照して、ドアホン装置１の親機２０において実行される処理について説明する。
【００５４】
図６の来訪者登録処理について説明する。まず、来訪者が検知されたかどうかが判断される（Ｓ１１）。来訪者が子機１０の呼出ボタン１１４（図１）を押すと来訪者が来訪したと検知し、子機１０のカメラ１１３により撮像を行う。そして、カメラ１１３から出力された画像信号は信号線３０を解して子機１０から親機２０へ送信される。親機２０は取得した画像データから顔領域を検出し，顔特徴データを抽出し、ＲＡＭ２０３に記憶する（Ｓ１２）。そして、来訪者の顔特徴データは来訪者情報１２１０に記憶されている顔特徴データと照合される（Ｓ１３）。ここで、照合は、自宅の親機２０に記憶されている来訪者情報１２１０だけでなく、第２通信装置２６０を介して他のドアホン装置に記憶されている来訪者情報１２１０も検索して行われる。この場合、他のドアホン装置に記憶されている来訪者情報１２１０のうち、少なくとも後述する“悪い”すなわち不審度が高いと評価した来訪者情報を検索できればよい。
【００５５】
ここで、顔画像の照合方法は、公知の各種方法を用いることができるが、その一例を説明する。まず、子機１０のカメラ１１３（図１参照）によって撮影された顔画像から、顔画像の特徴点データ、詳細には目、眉毛、鼻、及び口を特徴とし訪問者の顔の特徴量データを抽出する。具体的には、特徴点データは、顔画像の目、眉毛、鼻、及び口に点を打ち、各特徴点の方向や、各特徴点間の間隔を数値化することにより抽出される。さらに、その抽出された顔画像の特徴点データと、フラッシュＲＯＭ２２０の来訪者情報１２１０の顔情報に含まれる特徴点データに記憶されている目、眉毛、鼻、及び口の顔データの特徴点データとをそれぞれ比較して、照合が行われる。
【００５６】
照合の結果、来訪者情報１２１０に、来訪者の顔画像と一致する顔情報とが存在する場合（Ｓ１４：ＹＥＳ）、一致する顔情報に対応する来訪者情報取得され、ＲＡＭ２０３に記憶される（Ｓ１５）。
【００５７】
次いで、親機２０の表示モニタ２１３に来訪者の顔画像とともに訪問者名、評価情報などの関連情報が表示される（Ｓ１６）。よって、住民は、来訪者が既知の人物か否かを判断することが容易になる。次いで、顔画像と顔特徴データを含む顔情報の更新処理が行われる（Ｓ１７）。この処理では、来訪者情報１２１０に記憶されている前回来訪時の顔画像と顔特徴データが、今回、撮影した顔画像と顔特徴データを含む顔情報情報により更新される。次いで、来訪日時の更新処理が行われる（Ｓ１８）。この処理では、来訪者情報１２１０に記憶されている来訪日時情報が、当日の日時情報に更新され処理が終了する。これらの処理により、顔画像、顔特徴データを含む顔情報、及び来訪日時情報が、最新状態で記憶される。なお、Ｓ１６の表示時に、訪問者名、評価情報などの関連情報は、適宜修正できるようにしてもよい。
【００５８】
また、図５に示す来訪者情報１２１０に、来訪者の顔画像と一致する顔情報が存在しない場合（Ｓ１４：ＮＯ）、すなわち来訪者が初めての来訪の場合、子機１０から送信された撮影画像、親機２０のＲＡＭ２０３に記憶され、親機２０の表示モニタ２１３に来訪者の顔画像が表示される（Ｓ１９）。そして、来訪者の顔画像と顔特徴データを含む顔情報が来訪者情報１２１０に新しい来訪者ＩＤに対応して登録する処理が行われる（Ｓ２０）。続いて、来訪者に対して、不審度が高いか低いかの評価情報登録処理が行われる（Ｓ２１）。本実施形態では図３の表示モニタ２１３に、表示画面記憶エリア２２２に記憶されている表示情報２１７である“［来訪者情報無し］評価情報を入力してください。”と、表示情報２１９“良い”と、表示情報２１８“悪い”という指示画面が表示される。そして、室内応対者が来訪者に対して不審度が低いと評価した場合は、“良い”と表示されている表示情報２１９が押され、来訪者情報１２１０に、来訪者ＩＤと対応付けて評価情報“良い”として記憶される。また、室内応対者が来訪者に対して不審度が高いと評価した場合は、“悪い”と表示されている表示情報２１８が押され、来訪者情報１２１０に、来訪者ＩＤと対応付けて評価情報“悪い”として記憶される。また、所定時間何も入力が無い場合は、来訪者情報１２１０の評価情報は、空欄のまま記憶される。
【００５９】
次に、来訪日時情報登録処理が実行され（Ｓ２２）、来訪者情報１２１０の来訪日時欄に当日の日時情報が記憶される。続いて、名前情報記憶処理が実行される（Ｓ２３）。図示は省略するが、図２の表示モニタ２１３にキーボード画面等を表示させ、名前情報が入力されると、来訪者情報１２１０の訪問者ＩＤと対応付けられて、訪問者名欄に名前情報が記憶され、来訪者情報登録処理が終了する。また、Ｓ２３の処理で所定時間何も入力が無い場合は、来訪者情報１２１０の訪問者名欄は空欄のまま記憶され、処理が終了する。よって、上記来訪者登録処理により、来訪者があるごとに来訪者を確認することができるとともに、登録されている来訪者の来訪時は、対応する来訪者情報が更新記憶され、初めての来訪者の場合は、新たに来訪者情報が来訪者情報１２１０に追加記憶される。
【００６０】
次に、図７を参照して来訪者情報処理について説明する。図７に示す来訪者情報処理は、親機２０の電源がＯＮにされると開始される。まず、親機２０の第１引っ越しボタン２１４か、もしくは第２引っ越しボタン２１５の押下による移動情報を取得したかどうかが判断される（Ｓ１）。そこで取得していないと判断された場合（Ｓ１：ＮＯ）は、Ｓ１の処理に戻り、移動情報が取得するまで継続して繰り返し処理される。Ｓ１の処理で移動情報を取得したと判断された場合（Ｓ１：ＹＥＳ）、第２引っ越しボタン２１５からかどうかが判断される（Ｓ２）。具体的に説明すると、本実施例では、図２に図示されている通り、住居者であるユーザは、転居する際、ドアホン装置を置いて転居する場合は、第２引っ越しボタン２１５を押し、ドアホン装置と共に転居する場合は、第１引っ越しボタン２１４が押され、それぞれに対応する移動情報がＣＰＵ２０１へ信号として出力される。
【００６１】
そして、Ｓ１で取得した移動情報が第２引っ越しボタン２１５からでないと判断された場合（Ｓ２：ＮＯ）、つまり第１引っ越しボタン２１４から移動情報を取得した場合、評価が“悪い”に対応した来訪者情報の処理が実行される（Ｓ４）。
【００６２】
ここで、評価が“悪い”に対応した来訪者情報の処理について、図８を参照して説明する。まず、評価が“悪い”に対応している来訪者情報を取得し（Ｓ４０）、取得した情報を他のドアホンに送信するかどうかの判断がされる（Ｓ４１）。具体的には、図９の表示モニタ２１３の画面にあるように、“評価結果が”悪い“来訪者情報を他のドアホンに送信しますか？”という表示画面情報と、表示情報２３２である“する”、表示情報２３１である“しない”が、表示画面記憶エリア２２２から読み込まれ、表示モニタ２１３に出力される。そこで、ユーザは、評価が“悪い”に対応した来訪者情報を他のドアホン装置へ送信したい場合、表示情報２３２の“する”が押されたと判断される（Ｓ４１：ＹＥＳ）と、次に、送信できる他のドアホン装置が存在するかどうかが判断される（Ｓ４２）。Ｓ４２の処理では、ドアホン装置１の親機２０に備えられている第２通信装置２６０から、通信回線５０を介して送信できる他のドアホン装置が存在するかどうかが検索される。そして送信できるドアホン装置が存在すると判断された場合（Ｓ４２：ＹＥＳ）、評価“悪い”に対応した来訪者情報の送信処理が実行される（Ｓ４３）。その後、当該送信された来訪者情報を来訪者情報記憶エリア２２１から削除する処理を実行し（Ｓ４４）、処理が終了する。
【００６３】
Ｓ４３の送信処理では、本実施形態で説明すると、図５の来訪者情報１２１０から、評価“悪い”と記憶されている訪問者ＩＤ００２の情報が抽出され、第２通信装置２６０により通信回線５０を介して、他のドアホン装置５へ送信され、他のドアホン装置５のフラッシュＲＯＭ２２０の来訪者情報記憶エリア２２１に記憶される。
【００６４】
また、詳細な説明は省略するが、Ｓ４２の処理で、送信できる他のドアホン装置が複数存在する場合、前記複数のドアホン装置の中で、来訪者が最も多い住居のドアホン、つまり来訪者情報記憶数が最も多いドアホン装置を選択して送信しても良い。これにより、評価“悪い”に対応した不審者情報は、それを記憶していたドアホン装置が外されても、他のドアホン装置の間で有効に利用できる。
【００６５】
また、Ｓ４１の処理にて、ユーザが図９の表示情報２３１の“しない”を選択した場合は、情報を送信しない（Ｓ４１：ＮＯ）と判断されるので、評価が“悪い”に対応した来訪者情報の削除処理（Ｓ４４）が実行される。また、Ｓ４２の処理にて、送信できるドアホンが存在しないと判断された場合（Ｓ４２：ＮＯ）も、同様に評価が“悪い”来訪者情報の削除処理（Ｓ４４）が実行され、処理が終了する。
【００６６】
ここで言う削除処理とは、フラッシュＲＯＭ２２０の来訪者情報記憶エリア２２１に記憶されている来訪者情報１２１０の中から、評価“悪い”と対応付けて記憶されている来訪者情報を抽出し、削除する処理のことを言う。本実施例では、図５の来訪者情報１２１０から、評価“悪い”と記憶されている訪問者ＩＤ００２が削除処理される。
【００６７】
図７のＳ２の処理に戻り、Ｓ１の処理で取得した移動情報が、第２引っ越しボタン２１５からであると判断された場合（Ｓ２：ＹＥＳ）、評価“良い”に対応した来訪者情報の処理が実行（Ｓ３）され、終了する。具体的には、本実施形態では、ユーザが転居する際にドアホン装置１を残して移動する場合、第２引っ越しボタン２１５を押すので、第２引っ越しボタン２１５に対応した移動情報がＣＰＵ２０１へ信号として出力される。そして第２引っ越しボタン２１５に対応した移動情報を取得したと判断されると、来訪者情報１２１０の中の評価“良い”に対応した来訪者の情報（来訪者ＩＤ００１、００４、００５）を抽出して、削除処理が実行される。したがって、評価“良い”に対応する来訪者は、ユーザの知人や身内等を含む不審度の少ない個人情報に該当する場合が多く、ユーザが転居する際、ドアホン装置をそのまま残して置くと、上記個人情報が記憶されたままになってしまうので、Ｓ３の処理を実行することにより、ユーザは、確実に来訪者情報の処理ができる。
【００６８】
また、本実施形態に関して、図５の来訪者情報１２１０の評価欄に評価情報が記憶されていない場合（訪問者ＩＤ００３）は、ユーザが、来訪者の応対時に不審度が高くないと評価して、評価情報の入力を怠った可能性が高いので、本実施例の評価結果の“良い”に対応する来訪者情報として、同様の処理をすれば良い。
【００６９】
また、本実施形態では、図２に示すように引っ越しボタン２１４、２１５を設けたが、表示モニタ２１３に表示情報として表示させるようにしても良い。
【００７０】
また、本実施形態では、ユーザが転居する場合について記載しているが、ユーザが転居はしないが、ドアホン装置を買い変える場合でも、第１引っ越しボタンを押すことにより、評価が“悪い”来訪者情報を他のドアホン装置へ送信しても良い。
【００７１】
本実施形態では、フラッシュＲＯＭ２２０に記憶されている来訪者情報記憶エリア２２１が「来訪者情報記憶手段」に相当する。また来訪者情報記憶エリア２２１に記憶されている来訪者情報１２１０の中で、来訪者の評価をした情報の“悪い”が、「第１評価値」に相当し、評価情報“良い”が、「第２評価値」に相当する。
【００７２】
図６のステップＳ１１にて、子機１０に備えられた呼び出しボタン１１４から信号を受信するＣＰＵ２０１が「来訪者検出手段」に相当し、ステップＳ１２で、カメラ１１３で撮影された画像信号を受信するＣＰＵ２０１が「識別情報取得手段」に相当し、ステップＳ２０〜２３の処理を行うＣＰＵ２０１が、「来訪者情報入力手段」に相当する。
【００７３】
図７のステップＳ１で、移動情報を取得したかどうかを判断するＣＰＵ２０１、またステップＳ２で第２引っ越しボタンからかどうかを判断するＣＰＵ２０１が、「移動情報取得手段」に相当し、ステップＳ３、ステップＳ４の来訪者情報の処理をするＣＰＵ２０１が、「来訪者情報処理手段」に相当する。
【００７４】
図８のステップＳ４３の送信処理を実行するＣＰＵ２０１が、「情報送信手段」に相当し、また、同ステップ４３にもとづいて受信処理を実行する他のドアホン装置の第２通信装置が「来訪者情報受信手段」に相当する。Ｓ４４の削除処理を実行するＣＰＵ２０１が、「来訪者情報処理手段」に相当する。
【図面の簡単な説明】
【００７５】
【図１】ドアホン装置１の電気的構成を示すブロック図である。
【図２】親機２０の外観正面図である。
【図３】親機２０の外観正面図である。
【図４】フラッシュＲＯＭ２２０の構成図である。
【図５】来訪者情報１２１０の説明図である。
【図６】来訪者情報登録処理のフローチャートである。
【図７】来訪者情報処理のフローチャートである。
【図８】評価が“悪い”来訪者情報処理のフローチャートである。
【図９】親機２０の表示画面例である。
【符号の説明】
【００７６】
１  ドアホン装置
１０  子機
２０  親機
２１１  マイク
２１２  スピーカ
２１３  表示モニタ
２１４  第１引っ越しボタン
２１５  第２引っ越しボタン
２２０  フラッシュＲＯＭの構成図
１２１０  来訪者情報
【図１】
2010087696.tif 000003
【図２】
2010087696.tif 000004
【図３】
2010087696.tif 000005
【図４】
2010087696.tif 000006
【図５】
2010087696.tif 000007
【図６】
2010087696.tif 000008
【図７】
2010087696.tif 000009
【図８】
2010087696.tif 000010
【図９】
2010087696.tif 000011